(57)【特許請求の範囲】
【請求項１】
加熱された調理器具の熱に耐え得る耐熱性の可撓性材料からなり、
中央部が円孔状をなす平面視円環形状をなし、
任意の半径における周方向断面が所定中心角毎に上下方向に山部と谷部を繰り返す波板形状をなし、
前記山部の高さが径方向外方から中央部に向かって漸次低下することを特徴とする鍋敷き。
【請求項２】
平面上に載置した場合に上下反転しても上記山部の高さが径方向外方から中央部に向かって漸次低下する請求項１記載の鍋敷き。
【請求項３】
上記各山部の頂点が、所定中心角毎に中心から径方向外方に向かう各径方向直線上に位置し、各谷部の頂点が、所定中心角毎に中心から径方向外方に向かう各径方向直線上に位置する請求項１又は２記載の鍋敷き。
【請求項４】
上記波板形状が三角波板形状である請求項３記載の鍋敷き。
【発明の詳細な説明】
【技術分野】
【０００１】
本発明は、加熱された調理器具や食器等を食卓等の上に載置する際に、熱による悪影響を食卓等に与えることを防ぐために用いられる鍋敷きに関する。
【背景技術】
【０００２】
実用新案登録第３１５４８１５号公報には、シリコン樹脂製のフレキシブルで弾力性を持つプレートよりなり、両面の全体にわたって滑り留めの格子模様の凹凸群を一体に備えてなる鍋敷きが開示されている。
【０００３】
この鍋敷きは、耐熱温度を２３０℃とするシリコン樹脂製であるので、加熱状態にある土鍋等が載置されても熱損傷する恐れはない。さらに、表裏面がともに滑り留めの凹凸群を備えているので、テーブル上等に安定して敷設配置できるとともに、その上部に土鍋を安定して載置配置できる。また、シリコン樹脂製であるので、汚れた際には洗剤等を用い洗浄でき、常に清潔な状態で使用できるとされている。
【０００４】
しかしながら、この鍋敷きの上側に載置される加熱された鍋類とテーブル等の被載置面との間の空隙は必ずしも十分ではなく、食卓等の被載置面に熱による悪影響が及ぶことも考えられる。
【先行技術文献】
【特許文献】
【０００５】
【特許文献１】実用新案登録第３１５４８１５号公報
【発明の概要】
【発明が解決しようとする課題】
【０００６】
本発明は、従来技術に存した上記のような課題に鑑み行われたものであって、その目的とするところは、上側に載置される加熱された調理器具又は食器類との接触面積及び食卓等の被載置面との接触面積を十分に小さくすると共に、上側に載置される加熱された調理器具又は食器類と食卓等の被載置面との間に満遍なく空隙が確保され、食卓等の被載置面に熱による悪影響が及ぶことが効果的に防がれる鍋敷きを提供することにある。
【課題を解決するための手段】
【０００７】
(1) 上記目的を達成する本発明の鍋敷きは、
加熱された調理器具の熱に耐え得る耐熱性の可撓性材料からなり、
中央部が円孔状をなす平面視円環形状をなし、
任意の半径における周方向断面が所定中心角毎に上下方向に山部と谷部を繰り返す波板形状をなすことを特徴とする。
【０００８】
中央部が円孔状をなす平面視円環形状をなし、任意の半径における周方向断面が所定中心角毎に上下方向に山部と谷部を繰り返す波板形状をなす。
【０００９】
そのため、上側に載置される加熱された調理器具又は食器類との接触面積及び食卓等の被載置面との接触面積を十分に小さくすると共に、上側に載置される加熱された調理器具又は食器類と食卓等の被載置面との間に満遍なく空隙が確保され、食卓等の被載置面に熱による悪影響が及ぶことが効果的に防がれる。
【００１０】
而も、可撓性材料からなるものでありながら、周方向に繰り返す山部が調理器具等による荷重を受けることにより、隣り合う山部同士の間の谷部を支持し、その谷部が、隣接する山部を逆に支持するというように、周方向に繰り返す山部と谷部が協働して調理器具等を支持し得る。
【００１１】
特に円形状の調理器具又は食器類を、上側に同心状に載置すれば、周方向に繰り返される各山部上に均等状に調理器具が支持され、上側に載置される加熱された調理器具又は食器類と食卓等の被載置面との間に、周方向均等状に空隙が確保されるので、調理器具等の荷重の支持及び熱に対する食卓等の被載置面の保護をより効果的に行い得る。
【００１２】
また、可撓性材料からなる鍋敷きであるため、不使用時は、例えば平面視円環形状における直径又は半径に沿って折り畳んで収納し得る。
【００１３】
(2) 本発明の鍋敷きは、上記山部の高さが径方向外方から中央部に向かって漸次低下するものとすることができる。
【００１４】
この場合、山部の高さが径方向外方から中央部に向かって漸次低下するので、円形状の調理器具又は食器類を、上側に同心状に載置すれば、その調理器具又は食器類の径の大小に拘らず、上側に安定的に支持される。
【００１５】
また、本発明の鍋敷きは、平面上に載置した場合に上下反転しても上記山部の高さが径方向外方から中央部に向かって漸次低下するものとすることができる。
【００１６】
この場合、平面上に載置した場合に上下反転しても山部の高さが径方向外方から中央部に向かって漸次低下するので、表裏何れの面を上側にしても同様に使用し得る。
【００１７】
(3) 本発明の鍋敷きは、
上記各山部の頂点が、所定中心角毎に中心から径方向外方に向かう各径方向直線上に位置し、各谷部の頂点が、所定中心角毎に中心から径方向外方に向かう各径方向直線上に位置するものとすることができる。
【００１８】
この場合、調理器具又は食器類との接触面積及び食卓等の被載置面との接触面積を一層小さくして調理器具等の熱に対する食卓等の被載置面の保護をより効果的に行い得ると共に、周方向に繰り返す山部と谷部が協働して調理器具等を支持する効果も高まる。
【００１９】
この鍋敷きは、上記波板形状が三角波板形状であるものとすることができる。
【００２０】
この場合、調理器具又は食器類との接触面積及び食卓等の被載置面との接触面積をより一層小さくして調理器具等の熱に対する食卓等の被載置面の保護を更に効果的に行い得ると共に、周方向に繰り返す山部と谷部が協働して調理器具等を支持する効果もより高まる。
【発明の効果】
【００２１】
本発明の鍋敷きによれば、上側に載置される加熱された調理器具又は食器類との接触面積及び食卓等の被載置面との接触面積を十分に小さくすると共に、上側に載置される加熱された調理器具又は食器類と食卓等の被載置面との間に満遍なく空隙が確保され、食卓等の被載置面に熱による悪影響が及ぶことが効果的に防がれる。
【００２２】
而も、可撓性材料からなるものでありながら、周方向に繰り返す山部が調理器具等による荷重を受けることにより、隣り合う山部同士の間の谷部を支持し、その谷部が、隣接する山部を逆に支持するというように、周方向に繰り返す山部と谷部が協働して調理器具等を支持し得る。
【００２３】
特に円形状の調理器具又は食器類を、上側に同心状に載置すれば、周方向に繰り返される各山部上に均等状に調理器具が支持され、上側に載置される加熱された調理器具又は食器類と食卓等の被載置面との間に、周方向均等状に空隙が確保されるので、調理器具等の荷重の支持及び熱に対する食卓等の被載置面の保護をより効果的に行い得る。
【００２４】
また、可撓性材料からなる鍋敷きであるため、不使用時は、例えば平面視円環形状における直径又は半径に沿って折り畳んで収納し得る。
【図面の簡単な説明】
【００２５】
【図１】斜視図である。
【図２】平面図である。
【図３】正面図である。
【発明を実施するための形態】
【００２６】
(1) 図面は何れも本発明の鍋敷きＡの実施の形態の一例に関するものである。
【００２７】
この例の鍋敷きＡは、加熱された調理器具の熱に耐え得る耐熱性の可撓性材料としてのシリコーンゴムにより一体的に形成されている。なお、本発明の鍋敷きの材料としては、これに限らず、その他のエラストマーや軟質合成樹脂等の加熱された調理器具の熱に耐え得る耐熱性の可撓性材料を用いることができる。
【００２８】
この鍋敷きＡは、中央部Ｂが円孔状をなす平面視円環形状をなし、任意の半径における周方向断面が所定中心角毎に上下方向に山部Ｃと谷部Ｄを繰り返す三角波板形状をなすものであり、中心軸線に対し回転対称形状をなす。なお、本発明における任意の半径における周方向断面は、三角波板形状に限らず、正弦波板形状やその他の曲線波板形状や、折曲線波板形状とすることもできる。
【００２９】
全ての山部Ｃの高さは、径方向外方から中央部Ｂに向かって一定比率で漸次低下するものであり、平面上に載置した場合に上下反転しても全ての山部Ｃの高さが径方向外方から中央部Ｂに向かって一定比率で漸次低下するようやや変形する。中心から一定半径の位置では、周方向に一定波長・一定振幅の三角波板形状をなす。なお、本発明における山部Ｃの高さは、半径位置によらず全て一定とすることもできる。また、山部Ｃの高さが漸次低下するものの低下の比率が一定でないものとすることもできるが、一定の半径における山部Ｃの高さは一定であることが望ましい。
【００３０】
各山部Ｃの頂点は、所定中心角毎に中心から径方向外方に向かう各径方向直線上に位置し、各谷部Ｄの頂点は、所定中心角毎に中心から径方向外方に向かう各径方向直線上に位置している。すなわち、各山部Ｃの頂点及び各谷部Ｄの頂点は、放射状に形成されている。任意の隣接する山部Ｃと谷部Ｄの間の板状部は、外周縁が下底で内周縁が上底の等脚台形状をなす。
【００３１】
なお、本発明における各山部Ｃの頂点は、例えば所定中心角毎に中心から径方向外方に向かう曲線や折曲線上に位置するものとすることもできる。
【００３２】
(2) 中央部Ｂが円孔状をなす平面視円環形状をなし、任意の半径における周方向断面が所定中心角毎に上下方向に山部Ｃと谷部Ｄを繰り返す三角波板形状をなすので、上側に載置される加熱された調理器具又は食器類との接触面積及び食卓等の被載置面との接触面積を十分に小さくすると共に、上側に載置される加熱された調理器具又は食器類と食卓等の被載置面との間に満遍なく空隙が確保され、食卓等の被載置面に熱による悪影響が及ぶことが効果的に防がれる。
【００３３】
而も、可撓性材料からなるものでありながら、周方向に三角波板形状に繰り返す山部Ｃが調理器具等による荷重を受けることにより、隣り合う山部Ｃ同士の間の谷部Ｄを支持し、その谷部Ｄが、隣接する山部Ｃを逆に支持するというように、周方向に繰り返す山部Ｃと谷部Ｄが協働して調理器具等を支持し得る。
【００３４】
特に円形状の調理器具又は食器類を、上側に同心状に載置すれば、周方向に三角波板形状に繰り返される各山部Ｃ上に均等状に調理器具が支持され、上側に載置される加熱された調理器具又は食器類と食卓等の被載置面との間に、周方向均等状に空隙が確保されるので、調理器具等の荷重の支持及び熱に対する食卓等の被載置面の保護をより効果的に行い得る。
【００３５】
また、可撓性材料からなる鍋敷きＡであるため、不使用時は、例えば平面視円環形状における直径又は半径に沿って折り畳んで収納し得る。
【００３６】
全ての山部Ｃの高さは、径方向外方から中央部Ｂに向かって一定比率で漸次低下し、平面上に載置した場合に上下反転しても全ての山部Ｃの高さが径方向外方から中央部Ｂに向かって一定比率で漸次低下するようやや変形する。そのため、円形状の調理器具又は食器類を、上側に同心状に載置すれば、その調理器具又は食器類の径の大小に拘らず、上側に安定的に支持され、表裏何れの面を上側にしても同様に使用し得る。
【符号の説明】
【００３７】
Ａ      鍋敷き
Ｂ      中央部
Ｃ      山部
Ｄ      谷部
【図１】
0005545850.tif 000002
【図２】
0005545850.tif 000003
【図３】
0005545850.tif 000004